(57)【要約】【課題】携帯端末を通して、所定の情報を選択的に顧客に提供することができる新規な情報提供装置および情報提供システムを提供すること。【解決手段】遊技情報提供システムは、遊技店舗に設置された情報提供装置１によって、遊技客が自己の所有する携帯電話機２を用いて、遊技店舗内に設置された遊技台１０の遊技台情報の提供を受けるようにしたシステムであり、情報提供装置１とリダイレクト部４とウェブ部５とを備えている。情報提供装置１は、複数のリーダライタ３を備えている。遊技店舗に入店した遊技客は、自己の携帯電話機２をリーダライタ３の読取り面に接近させて、携帯電話機２とリーダライタ３とを非接触通信させる。これにより、遊技客の所有する携帯電話機２の表示部に遊技台情報が表示される。【選択図】図１
2010029689.tif 000002
【特許請求の範囲】
【請求項１】
表示部および非接触ＩＣを有する携帯端末を通して所定の情報を提供するための情報提供装置であって、
本体と、
読取り面を有し、前記携帯端末と非接触通信可能なリーダライタを複数備え、前記本体の前面に配置された操作領域とを含み、
各リーダライタの前記読取り面に前記携帯端末を接近させて、前記リーダライタと前記携帯端末とを非接触通信させることにより、各リーダライタに対応付けられた前記所定の情報が、前記携帯端末の表示部に表示されるようになっている、情報提供装置。
【請求項２】
各リーダライタに１対１に対応付けられて設けられ、各リーダライタに対応する前記所定の情報を表示するための複数の情報表示部を有し、前記本体の前面に設けられた表示領域を含む、請求項１記載の情報提供装置。
【請求項３】
前記操作領域における各リーダライタの前記読取り面は、前側に向かうに従って下がる傾斜面をなしている、請求項１または２記載の情報提供装置。
【請求項４】
前記所定の情報は、所定の遊技台に関する情報である遊技台情報であり、
前記複数のリーダライタは、互いに異なる種類の遊技台の遊技台情報に対応付けられている、請求項１〜３のいずれか一項に記載の情報提供装置。
【請求項５】
表示部を有する携帯端末を通して所定の情報を提供する情報提供システムであって、
請求項１〜４のいずれか一項に記載の情報提供装置と、
通信回線を通して前記携帯端末と通信可能に設けられたリダイレクト装置と、
前記複数の情報種別に係る情報を記憶する情報記憶部を有し、通信回線を通して前記携帯端末と通信可能に設けられた情報提供制御装置とを含み、
前記情報記憶部に記憶される各情報は、前記各リーダライタに１対１に対応付けられており、
前記携帯端末が前記リーダライタと非接触通信を行うことにより、当該携帯端末に対し、前記リダイレクト装置に対する接続指示が与えられるようになっており、
この接続指示には、前記リーダライタを特定するリーダライタ特定情報が含まれており、
前記リダイレクト装置が、
前記携帯端末からの接続要求に応答して、当該接続要求に含まれる前記リーダライタ特定情報に基づき、前記情報記憶部に記憶される各情報のインターネット上の位置を特定する位置情報のうち当該リーダライタに対応する位置情報を選択する位置情報選択手段と、
前記位置情報選択手段により選択された位置情報を、前記情報提供制御装置に対する接続指示とともに前記携帯端末に向けて送信する情報提供接続指示送信手段とを含み、
前記情報提供制御装置が、
当該リーダライタに対応する情報に関するデータを、前記携帯端末に送信するデータ送信手段を含む、情報提供システム。
【請求項６】
前記リダイレクト装置は、前記位置情報選択手段により選択された位置情報に、有効期限を含む付加情報を付加する付加情報付加手段をさらに含み、
前記情報提供接続要求送信手段は、前記付加情報付加手段によって付加情報が付加された後の位置情報を、前記携帯端末に向けて送信するものであり、
前記情報提供制御装置は、さらに、
前記携帯端末から接続要求とともに受信する位置情報に含まれる前記付加情報を取り出す付加情報取出手段と、
前記付加情報に含まれる有効期限内か否かを判別する有効期限判別手段とを含み、
前記データ送信手段は、前記有効期限判別手段により有効期限内であると判別された場合のみ前記データを送信する、請求項５記載の情報提供システム。
【請求項７】
前記データ送信手段は、前記判別手段により有効期限を過ぎていると判別された場合に、送信すべき情報のデータ以外のデータを前記携帯端末に送信する、請求項６記載の情報提供システム。
【請求項８】
所定の店舗において、表示部を有する携帯端末に所定の情報を提供する情報提供システムであって、
請求項１〜４のいずれか一項に記載の情報提供装置と、
前記複数の情報種別に係る情報を記憶する情報記憶部を有し、通信回線を通して前記携帯端末と通信可能に設けられた情報提供制御装置とを含み、
前記情報記憶部に記憶される各情報は、前記各リーダライタに１対１に対応付けられており、
前記携帯端末が前記リーダライタと非接触通信を行うことにより当該携帯端末に前記情報提供装置に対する接続指示が与えられるようになっており、
前記情報提供制御装置が、当該リーダライタに対応する情報に関するデータを、前記携帯端末に送信するデータ送信手段を含む、情報提供システム。
【請求項９】
前記情報提供システムが、複数の遊技台が設置された遊技店舗において、前記携帯端末に遊技台情報を提供するものであって、
前記情報記憶部は、前記複数の遊技台種別に係る遊技台情報を記憶し、
前記遊技台情報記憶部に記憶される各遊技台情報は、前記各リーダライタに１対１に対応付けられている、請求項４〜９のいずれか一項に記載の情報提供システム。
【発明の詳細な説明】
【技術分野】
【０００１】
この発明は、店舗等に設置され、利用者に対して所定の情報を提供する情報提供および情報提供システムに関する。
【背景技術】
【０００２】
遊技店舗には、多くの種類の遊技台が設置されている。大当たり確率および賞玉数などのスペックや、リーチ演出・大当たり演出などの演出動作は、遊技台の種類毎に異なっている。そのため、従来から、遊技店舗に設置される遊技台には、遊技店舗が作成した遊技説明書（いわゆるＰＯＰ）が貼付されている。
前述の遊技説明書は、その遊技台の遊技情報（スペックに関する情報および演出動作に関する情報など）が記載されている。しかし、遊技説明書は、遊技台における遊技の邪魔にならない部分にしか配置できず、その大きさに限度がある。そのため、遊技説明書に記載することのできる遊技情報の量は乏しい。
【０００３】
このため、遊技客に豊富な遊技情報を提供するために、遊技客が所有する携帯電話機やＰＤＡなどの携帯端末を用いて遊技台の遊技情報を提供する構成が提案されている（たとえば特許文献１など）。
【先行技術文献】
【特許文献】
【０００４】
【特許文献１】特開２００８−２３７５８０号公報
【発明の概要】
【発明が解決しようとする課題】
【０００５】
特許文献１には、遊技客が所有する非接触方式のＩＣチップが搭載された携帯端末（以下、「非接触ＩＣ携帯端末」）を用いて、遊技客に遊技台情報を提供する遊技台情報提供システムが開示されている。この遊技台情報提供システムでは、遊技台に１対１に対応付けられた遊技媒体貸出装置に非接触無線通信方式のリーダライタが配設されており、このリーダライタに非接触ＩＣ携帯端末を接近させる（かざす）。これにより、携帯端末のＩＣチップがリーダライタと無線通信して、携帯端末のブラウザが起動し、携帯電話機が当該遊技台に係る遊技台情報を提供する遊技台情報ページ（以下、「遊技台に係る遊技台情報ページ」）にＵＲＬ接続する。これにより、当該遊技台に対応する遊技台情報が、遊技客の所有する非接触ＩＣ携帯端末の表示部に表示される。それゆえ、遊技客はその遊技台に対応する遊技台情報を閲覧することができる。
【０００６】
しかしながら、特許文献１に記載のシステムでは、遊技客が提供を受けることができる（閲覧することができる）遊技台情報は、その遊技媒体貸出装置に対応付けられた遊技台のものに限られる。これは、遊技を行う遊技台を、遊技客が既に決めている場合はよいのであるが、複数種の遊技台情報を閲覧した結果、遊技を行なう遊技台を決定したいと希望する遊技客にとっては、複数の遊技台情報を閲覧するために各遊技台の設置位置に移動することを要求され、その移動が面倒になる。すなわち、遊技客の間には、複数の遊技台情報を携帯端末を通じて選択的に取得したいという要望がある。そして、係る要望は、遊技台情報の提供に限られるものではなく、店舗情報や景品情報、近隣の店舗（遊技店舗、飲食店、小売店舗（履物店など））の情報（特典券を含む）などの情報を、携帯端末を通じて顧客に提供するものに共通する課題である。
【０００７】
一方で、接続先のＵＲＬを複数の遊技台情報の上位サイトである遊技情報の総合サイトとし、その後、遊技客の携帯端末の操作により、遊技客が遊技を希望する遊技台情報までたどり着かせることも考えられる。しかしながら、遊技客による携帯端末の操作が必要であり、しかも複数の遊技台情報を取得する必要があるために、その操作が煩雑になるおそれがある。
【０００８】
この発明は、かかる背景の下になされたものであり、携帯端末を通して、所定の情報を選択的に顧客に提供することができる新規な情報提供装置および情報提供システムを提供することを目的とする。
【課題を解決するための手段】
【０００９】
請求項１記載の発明は、表示部（２６）および非接触ＩＣ（２１）を有する携帯端末（２）を通して所定の情報を提供するための情報提供装置（１）であって、本体（４１）と、読取り面（１７Ａ）を有し、前記携帯端末と非接触通信可能なリーダライタ（３）を複数備え、前記本体の前面に配置された操作領域（４２，４３）とを含み、各リーダライタの前記読取り面に前記携帯端末を接近させて、前記リーダライタと前記携帯端末とを非接触通信させることにより、各リーダライタに対応付けられた前記所定の情報が、前記携帯端末の表示部に表示されるようになっている、情報提供装置である。
【００１０】
なお、括弧内の数字は、後述の実施形態における対応構成要素等を表すが、特許請求の範囲を実施形態に限定する趣旨ではない。以下、この項において同じ。
この構成によれば、情報提供装置の操作領域には、複数のリーダライタの各読取り面が配置されている。非接触通信の対象になるリーダライタごとに、互いに異なる情報が提供される。そのため、携帯端末の所有者は、提供を受けたい情報に対応付けられたリーダライタの読取り面に携帯端末を接近させることにより、その情報の提供を携帯端末を通じて受けることができる。
【００１１】
前記複数のリーダライタの読取り面は、一列または複数列（たとえば二列）に配列されていてもよい。
請求項２記載の発明は、各リーダライタに１対１に対応付けられて設けられ、各リーダライタに対応する前記所定の情報を表示するための複数の情報表示部（４７）を有し、前記本体の前面に設けられた表示領域（４６，４８）を含む、請求項１記載の情報提供装置である。
【００１２】
この構成によれば、複数の情報表示部が、本体の前面に、各リーダライタに１対１に対応付けられて設けられている。各情報表示部には、各リーダライタに対応する情報を表示するためのものである。そのため、携帯端末の所有者は、情報表示部を見ながら、携帯端末を接近させるべきリーダライタを選択することができる。
各情報表示部は、対応する読取り面の上方に配置される構成であってもよい。情報表示部の下方に、読取り面が配置されるので、読取り面がどの情報表示部に対応するものであるかが判り易い。
【００１３】
各情報表示部は、当該リーダライタに対応する情報についてのペーパー状の表示を着脱可能に支持するホルダ部を備えていてもよい。
また、請求項２のような構成に限られず、リーダライタに対応する情報の表示が操作部に記載されていてもよい。
請求項３記載の発明は、前記操作領域における各リーダライタの前記読取り面は、前側に向かうに従って下がる傾斜面をなしている、請求項１または２記載の情報提供装置である。
【００１４】
この構成によれば、携帯端末の所有者が、携帯端末（の接触部）を読取り面に載置し易い。そのため、携帯端末を読取り面に容易に接近させることができ、これにより、リーダライタと携帯端末との間の非接触通信を常に良好に行うことができる。
また、前記本体の前面には、前記操作領域の下方領域に、ラック（５７）が設置されていてもよい。
【００１５】
請求項４記載の発明は、前記所定の情報は、所定の遊技台に関する情報である遊技台情報であり、前記複数のリーダライタは、互いに異なる種類の遊技台の遊技台情報に対応付けられている、請求項１〜３のいずれか一項に記載の情報提供装置である。
この構成によれば、情報提供装置の操作領域には、複数のリーダライタの各読取り面が配置されている。非接触通信の対象になるリーダライタごとに、互いに異なる種類の遊技台の遊技台情報が提供される。そのため、携帯端末の所有者は、提供を受けたい遊技台情報に対応付けられたリーダライタの読取り面に携帯端末を接近させることにより、その遊技台情報の提供を携帯端末を通じて受けることができる。
【００１６】
なお、「遊技台情報」とは、その遊技台に関する機種情報のことをいい、基本データ（大当たり確率、確率変動確率、賞球数および平均出球数など）、大当たり図柄、遊技方法、予告演出およびリーチ演出などを含む趣旨である。
請求項５記載の発明は、表示部（２６）を有する携帯端末を通して所定の情報を提供する情報提供システムであって、請求項１〜４のいずれか一項に記載の情報提供装置（１）と、通信回線を通して前記携帯端末と通信可能に設けられたリダイレクト装置（４）と、前記複数の情報種別に係る情報を記憶する情報記憶部（３４）を有し、通信回線を通して前記携帯端末と通信可能に設けられた情報提供制御装置（５）とを含み、前記情報記憶部に記憶される各情報は、前記各リーダライタに１対１に対応付けられており、前記携帯端末が前記リーダライタと非接触通信を行うことにより、当該携帯端末に対し、前記リダイレクト装置に対する接続指示が与えられるようになっており、この接続指示には、前記リーダライタを特定するリーダライタ特定情報（リーダライタ番号、リーダライタＩＤ）が含まれており、前記リダイレクト装置が、前記携帯端末からの接続要求に応答して、当該接続要求に含まれる前記リーダライタ特定情報に基づき、前記情報記憶部に記憶される各情報のインターネット上の位置を特定する位置情報のうち当該リーダライタに対応する位置情報を選択する位置情報選択手段（２７）と、前記位置情報選択手段により選択された位置情報を、前記情報提供制御装置に対する接続指示とともに前記携帯端末に向けて送信する情報提供接続指示送信手段（２７）とを含み、前記情報提供制御装置が、当該リーダライタに対応する情報に関するデータを、前記携帯端末に送信するデータ送信手段（３２）を含む、情報提供システムである。
【００１７】
この構成によれば、請求項１に関連して説明した作用効果と同様の作用効果を奏する。
また、リダイレクト装置において選択された接続先の位置情報に対応するデータが、情報提供制御装置から携帯端末に対して送信される。そして、接続先の位置情報を変更すれば、携帯端末に向けて送信されるデータを変更することができる。つまり、携帯端末に送信すべきデータを変更するのに、情報提供制御装置のデータを直接変更する必要がない。
【００１８】
なお、「リダイレクト装置」および／または「情報提供制御装置」として、サーバを用いることができるが、このサーバの他にも、マルチレイヤスイッチ、レイヤ７スイッチまたはレイヤ４スイッチを用いることができる。
請求項６記載の発明は、前記リダイレクト装置は、前記位置
情報選択手段により選択された位置情報に、有効期限を含む付加情報を付加する付加情報付加手段（２７）をさらに含み、前記情報提供接続要求送信手段は、前記付加情報付加手段によって付加情報が付加された後の位置情報を、前記携帯端末に向けて送信するものであり、前記情報提供制御装置は、さらに、前記携帯端末から接続要求とともに受信する位置情報に含まれる前記付加情報を取り出す付加情報取出手段（３２）と、前記付加情報に含まれる有効期限内か否かを判別する有効期限判別手段（３２）とを含み、前記データ送信手段は、前記有効期限判別手段により有効期限内であると判別された場合のみ前記データを送信する、請求項５記載の情報提供システムである。
【００１９】
携帯端末を用いて所定の情報を一旦閲覧すると、その後は情報提供装置を介さなくても、携帯端末のブックマーク機能や位置情報（ＵＲＬ）履歴機能を利用して、かかる情報を閲覧することも考えられる。
これに対し、請求項６の構成では、リダイレクト装置において、位置情報に有効期限を含む付加情報が付加され、携帯端末は、この付加情報が付加された位置情報に誘導されて情報提供制御装置（たとえば、サーバ）に接続される。そして情報提供制御装置では、付加情報に含まれる有効期限内か否かを判別することができる。そして、有効期限内である場合のみ、所定の情報のデータが携帯端末に送信され、所定の情報が携帯端末の表示部に表示される。そして、有効期限を過ぎている場合は、携帯端末の表示部に、所定の情報が表示されない。これにより、情報提供端末を介さない不正利用を排除することができる。
【００２０】
請求項７に記載のように、前記データ送信手段は、前記判別手段により有効期限を過ぎていると判別された場合に、送信すべき情報のデータ以外のデータを前記携帯端末に送信するものであってもよい。
請求項８記載の発明は、所定の店舗において、表示部を有する携帯端末に所定の情報を提供する情報提供システムであって、請求項１〜４のいずれか一項に記載の情報提供装置（１）と、前記複数の情報種別に係る情報を記憶する情報記憶部（３４）を有し、通信回線を通して前記携帯端末と通信可能に設けられた情報提供制御装置（６）とを含み、前記情報記憶部に記憶される各情報は、前記各リーダライタに１対１に対応付けられており、前記携帯端末が前記リーダライタと非接触通信を行うことにより当該携帯端末に前記情報提供装置に対する接続指示が与えられるようになっており、前記情報提供制御装置が、当該リーダライタに対応する情報に関するデータを、前記携帯端末に送信するデータ送信手段（３２）を含む、情報提供システムである。
【００２１】
この場合、請求項１に関連して説明した作用効果と同様の作用効果を奏することができる。
また、「情報提供制御装置」として、サーバを用いることができるが、このサーバの他にも、マルチレイヤスイッチ、レイヤ７スイッチまたはレイヤ４スイッチを用いることができる。
【００２２】
請求項９記載の発明は、前記情報提供システムが、複数の遊技台が設置された遊技店舗において、前記携帯端末に遊技台情報を提供するものであって、前記情報記憶部は、前記複数の遊技台種別に係る遊技台情報を記憶し、前記遊技台情報記憶部に記憶される各遊技台情報は、前記各リーダライタに１対１に対応付けられている、請求項５〜８のいずれか一項に記載の情報提供システムである。
【００２３】
この構成によれば、請求項４に関連して説明した作用効果と同様の作用効果を奏する。
【図面の簡単な説明】
【００２４】
【図１】本発明の一実施形態に係る遊技台情報提供システムの構成を示すブロック図である。
【図２】図１に示す情報提供装置を前側から見た斜視図である。
【図３Ａ】図１に示す情報提供装置の正面図である。
【図３Ｂ】図３Ａの切断面線IIIＢ−IIIＢから見た断面図である。
【図４】図１に示すリーダライタの構成を図解的に示す斜視図である。
【図５】図１に示すリーダライタの電気的構成を示すブロック図である。
【図６】図１に示す携帯電話機の構成を示すブロック図である。
【図７】図１に示す制御サーバおよびデータベース用サーバの構成を示すブロック図である。
【図８】図１に示す遊技台情報提供システムにおける信号授受の流れを示すシーケンス図である。
【図９Ａ】携帯電話機の表示部に待機時に表示される画面の具体例を示す図である。
【図９Ｂ】携帯電話機の表示部に表示される画面の具体例を示す図である。
【図９Ｃ】携帯電話機の表示部に表示される遊技台情報画面を示す図である。
【図１０】図７に示すリダイレクト部により作成される付加情報付ＵＲＬを説明するための図である。
【図１１Ａ】携帯電話機の表示部に表示される遊技店舗画面を示す図である。
【図１１Ｂ】携帯電話機の表示部に表示される遊技サイトトップページを示す図である。
【図１２】図７に示すリダイレクト部の主制御部における制御を示すフローチャートである。
【図１３】図７に示すウェブ部の主制御部における制御を示すフローチャートである。
【図１４】図６に示す携帯電話機の主制御部における制御を示すフローチャートである。
【発明を実施するための形態】
【００２５】
以下では、この発明の実施の形態を、添付図面を参照して詳細に説明する。
図１は、本発明の一実施形態に係る遊技台情報提供システム（情報提供システム）の構成を示すブロック図である。この遊技情報提供システムは、遊技店舗に設置された情報提供装置１によって、遊技客が自己の所有する携帯電話機（携帯端末）２を用いて、遊技店舗内に設置された遊技台１０（たとえば、パチンコ機やパチスロ機）の遊技台情報（機種情報の提供を受けるようにしたシステムである。この遊技情報提供システムは、情報提供装置１と、リダイレクト部（リダイレクト装置）４（図７参照）と、ウェブ部（情報提供制御装置）５（図７参照）とを備えている。この実施形態では、リダイレクト部４およびウェブ部５は、図１に示す制御用サーバ１１およびデータベース用サーバ１２によって構成されている。
【００２６】
遊技店舗内には、複数の遊技台島が配列されている。遊技台島は、複数の遊技台１０を同方向に正面を向いた状態に並べて遊技台列を形成し、この遊技台列を背中合わせで２列に配置することにより構成されている。各遊技台１０には、遊技カードに記録されている有価価値データに基づく有価価値の範囲内で遊技媒体（たとえば、パチンコ玉やパチスロメダル）を貸し出す遊技媒体貸出装置７が１対１で対応付けて設けられている。各遊技媒体貸出装置７は、遊技島ごとに設けられた中継装置８を介して、遊技媒体の貸出しに関するデータを遊技店舗内に設置された店舗コンピュータ９に送信する。店舗コンピュータ９は、遊技店舗における遊技媒体の貸出しに関するデータの管理を行うためのコンピュータシステムである。
【００２７】
制御用サーバ１１と携帯電話機２とは、インターネット回線（通信回線）６を通じて接続可能に設けられている。また、制御用サーバ１１と店舗コンピュータ９とは、インターネット回線（通信回線）６を通じて接続可能に設けられている。制御用サーバ１１とデータベース用サーバ１２とは通信可能に接続されている。
情報提供装置１は、遊技店舗のたとえば入り口付近に設置されている。情報提供装置１は、複数のリーダライタ３を備えている。遊技店舗に入店した遊技客は、自己の携帯電話機２をリーダライタ３の読取り面に接近させて、携帯電話機２とリーダライタ３とを非接触通信させる。これにより、遊技客の所有する携帯電話機２の表示部に遊技台情報が表示される。そして、その遊技台情報を見ながら、遊技を行う遊技台を決定する。
【００２８】
図２は、情報提供装置１を前側（遊技客が操作する側）から見た斜視図である。図３Ａは、情報提供装置１の正面図である。図３Ｂは、図３Ａの切断面線IIIＢ−IIIＢから見た断面図である。
情報提供装置１は、略直方体箱状の本体４１を備えている。本体４１の高さはたとえば１５００ｍｍ程度に設定されている。本体４１の両側面は、左右一対の側板６４によって構成されている。情報提供装置の前面には、リーダライタ３を左右方向（水平方向）に４つ配列し、それを上下２段に設けている。上段の４つのリーダライタ３によって第１操作領域４２が構成されており、下段の４つのリーダライタ３によって第２操作領域４３が構成されている。
【００２９】
情報提供装置１の前面上部は、上端縁から下方に延びる鉛直面からなる第１の前面５１と、この第１の前面５１の下端縁から延び、前方に向かうに従って下がる傾斜面からなる第２の前面５２と、第２の前面５２の前端縁（下端縁）から下方に延びる鉛直面からなる第３の前面５３と、この第３の前面５３の下端縁から延び、前方に向かうに従って下がる第４の前面とを備えている。第２の前面５２は、第１の前面５１に連なっており、第３の前面５３は、第２の前面５２に連なっている。第４の前面５４は、第３の前面５３に連なっている。第１の前面５１は、透明樹脂製の第１透明板（図３Ａおよび図３Ｂ参照）４４の前面によって形成されている。第３の前面５３は、透明樹脂製の第２透明板（図３Ａおよび図３Ｂ参照）４５の前面によって形成されている。第２の前面５２および第４の前面５４は、水平面に対してたとえば３０〜６０°、好ましくは４５°傾斜している。
【００３０】
第１操作領域４２は、第２の前面５２に配置されている。そして、第１操作領域４２の各リーダライタ３は、その読取り面が第２の前面５２とほぼ面一になるように配置されている。
前記第２操作領域４３は、第４の前面５４に配置されている。そして、第２操作領域４３の各リーダライタ３は、その読取り面が第４の前面５４とほぼ面一になるように配置されている。すなわち、この情報提供装置１では、第２操作領域４３の読取り面が、水平面に対して、前方に向かうに従って下がるように傾斜している。
【００３１】
第１の前面５１には、第１操作領域４２のリーダライタ３に対応する遊技台情報の対象になる遊技台の種類（機種）（以下、「遊技台情報の対象機種」という。）を表示するための第１表示領域４６が設けられている。
具体的には、第１の前面５１には、左右方向に並ぶ４つの機種表示部（情報表示部）４７が設けられている。各機種表示部４７は、第１操作領域４２の各リーダライタ３に１対１に対応付けられており、対応する遊技台情報の対象機種を表示するものである。第３の前面５３には、第２操作領域４３のリーダライタ３に対応する遊技台情報の対象機種を表示するための第２表示領域４８が設けられている。具体的には、第３の前面５３には、左右方向に並ぶ４つの機種表示部４７が設けられている。各機種表示部４７は、第２操作領域４３の各リーダライタ３に１対１に対応付けられており、対応する遊技台情報の対象機種を表示するものである。
【００３２】
各機種表示部４７は、対応するリーダライタ３の読取り面の上方に配置されている。機種表示部４７の下方に、対応する読取り面が配置されるので、読取り面がどの機種表示部４７に対応するものであるかが判り易い。
各機種表示部４７は、ペーパー状の表示材４９と、この表示材４９を着脱可能に支持するためのホルダ５０とを備えている。各表示材４９には、遊技台情報の対象機種を特定するための情報、たとえば機種名やその機種のイメージデザインなどが描かれている。
【００３３】
各ホルダ５０は、透明板４４，４５の前面（第１の前面５１、第３の前面５３）に取り付けられている。このホルダ５０は、上方が開放した正面視略Ｕ字の枠状（横転コ字状）のものであり、その断面形状が、内側が開放したコ字状に形成されている。このホルダ５０は、透明の樹脂材料を用いて形成されている。そして、上方から表示材４９を差し込むことにより、表示材４９をホルダ５０に収容させることができる（図２では、表示材４９の収容状態を示し、図３Ａおよび図３Ｂでは表示材４９を取り除いた状態を示している）。
【００３４】
第１透明板４６および第２透明板４８の後方には、複数本の蛍光灯５５が配設されている。この蛍光灯５５の発光により、第１の前面５１の全域および第２の前面５２の全域が発光するようになる。
情報提供装置１の上部中央には、第１透明板４４の後方に表示器５６が配置されている。この表示器５６には、たとえば遊技店舗内の案内のための文字メッセージが、左右方向に流れるように表示される。
【００３５】
本体４１の下端部は、下方に向かうに従って前後方向に張り出す台座６６によって構成されている。台座６６の下面には、その４隅にキャスター６５（図３Ａおよび図３Ｂ参照）が取り付けられている。
本体４１の前面の下部、すなわち操作領域４２，４３と台座６６との間には、遊技店舗内に設置された遊技台１０の情報が記載されたパンフレット（小冊子）を収納するためのラック５７が上下２段に設けられている。各ラック５７は、下面板５８の前面と、この前面に取り付けられる断面Ｌ字状のケース体５９とによって形成されている。このケース体５９は、たとえば透明の樹脂材料によって形成されている。
【００３６】
操作領域４２，４３とラック５７との間には装飾パネル６０が配置されている。
図４は、リーダライタ３の構成を図解的に示す斜視図である。図５は、リーダライタ３の電気的構成を示すブロック図である。
リーダライタ３は、非接触ＩＣ（たとえば、ＦｅｌｉＣａ（登録商標））に対応するものである。このリーダライタ３は、薄型四角箱状のケーシング１７を備えている。ケーシング１７の一方側の主面は、非接触ＩＣとの間で通信を行う際の読取り面１７Ａとなっている。この実施形態に係る情報提供装置１では、各リーダライタ３は、その読取り面が、前方に向かうに従って下がる傾斜面になるように取り付けられている。そのため、携帯電話機の所有者が、携帯電話機２の通信部を読取り面１７Ａに載置し易い。そのため、携帯電話機２を、リーダライタ３の読取り面１７Ａに容易に接近させることができ、これにより、リーダライタ３と携帯電話機２との間の非接触通信を常に良好に行うことができる。
【００３７】
各リーダライタ３は、電源回路（図示しない）に給電コード（図示しない）が接続された自己給電型のものであり、給電コードの先端部にはプラグ（図示しない）が設けられている。プラグが遊技店舗内のコンセントに差し込まれることにより、給電コードを介して、主制御部１８、記憶部１９およびアンテナ部２０に給電される。
ケーシング１７の内部には、主制御部１８および記憶部１９が収容されている。主制御部１８は、たとえはマイクロコンピュータなどで構成されている。この主制御部１８には外付けのカウンタ（図示しない）が接続されている。ケーシング１７には、読取り面１７Ａに関連して、非接触ＩＣ通信を行うためのアンテナ部２０を備えている。
【００３８】
主制御部１８は、アンテナ部２０を介して、非接触ＩＣとの間で通信を行う。非接触ＩＣのＩＣチップ（非接触ＩＣ）２１（図６参照）が搭載された携帯電話機２が読取り面１７Ａに接近される（かざされる）と、携帯電話機２とリーダライタ３との間で非接触通信が行われる。このとき、主制御部１８と、ＩＣチップ２１（図６参照）と、携帯電話機２の主制御部２２（後述する）との間で三者間通信が行われる。この三者間通信により、主制御部２２は、アンテナ部２０を介して、携帯電話機２のＩＣチップ２１からＩＤｍ（端末識別情報）を取得する。
【００３９】
記憶部１９には、リダイレクト部４のＵＲＬ（Uniform Resource Locator）、情報提供装置１が設置された遊技店舗の店番号、およびリーダライタ３の位置情報（たとえば、情報提供装置１のＮ番）を示す番号であるリーダライタ番号（リーダライタ特定情報）が記憶されている。また、主制御部１８により取得されたＩＤｍは、記憶部１９に保持される。
【００４０】
また、リーダライタ３の主制御部１８には、カウンタ（図示しない）が接続されている。このカウンタは「００００」から「９９９９」まで計数可能であり、携帯電話機２がリーダライタ３との間で通信を行う度に、言い換えれば、携帯電話機２がリーダライタ３にかざされる度に、カウンタ値がインクリメント（＋１）される。このカウント値が、回数情報として、ＩＣチップ２１を介してリダイレクト部４およびウェブ部５に与えられる。携帯電話機２をリーダライタ３にかざした際のカウンタの値がたとえば「１２３４」である場合は、その「１２３４」が回数情報としてリダイレクト部４およびウェブ部５に与えられる。そして、そのリーダライタ３に次に携帯電話機がかざされた場合、その携帯電話機２が、以前にかざされた携帯電話機２と同一であるか否かに関わりなく、カウンタによって「１２３５」という回数情報が生成される。この「１２３５」というカウント値が回数情報として、接続要求とともに携帯電話機２の主制御部２２に付与される。この回数情報は、リダイレクト部４およびウェブ部５に与えられる。電源がオフされた場合でも、このカウンタ値は保持されており、ゼロクリアされることはない。
【００４１】
図６は、携帯電話機２の電気的構成を示すブロック図である。
携帯電話機２は、携帯電話機２全体の制御を司る主制御部２２と、非接触方式のＩＣチップ２１（たとえばＦｅｌｉＣａ（登録商標））とを備えている。主制御部２２は、三者間通信部２３とブラウザ２４とを備え、マイクロコンピュータなどによって構成されている。主制御部２２は、三者間通信部２３を介して、リーダライタ３およびＩＣチップ２１の間で三者間通信を行うことができる。
【００４２】
ＩＣチップ２１は、制御部３７とインターフェイス部２５とを備えている。ＩＣチップ２１には、ＩＤｍ（チップ製造番号）が付されている。このＩＤｍは、ＩＣチップ２１に固有の番号であり、言い換えれば、その携帯電話機２に固有の番号である。制御部３７は、ＩＣチップ２１全体の制御を司っており、インターフェイス部２５を介して、リーダライタ３の主制御部１８との間で通信を行う。また、制御部３７は、主制御部２２との間で通信を行う。このＩＣチップ２１は、三者間通信において、携帯電話機２の主制御部２２と、リーダライタ３との中継をする中継装置として機能する。
【００４３】
すなわち、ＩＣチップ２１は、インターフェイス部２５を介してリーダライタ３からの信号やデータを受信するとともに、これらの信号やデータを、携帯電話機２の主制御部２２の三者間通信部２３に対して送信することができる。送信する信号の一例として、リーダライタ３からＩＣチップ２１を介して主制御部２２に与えられるブラウザ起動指示を例示することができる。ＩＣチップ２１を介してリーダライタ３からのブラウザ起動指示があると、ブラウザ２４は、ＩＣチップ２１により送信されるＵＲＬに基づいてブラウザを起動させる。そして、ブラウザ２４は、接続先のサーバから送られるページデータに基づいて、そのページデータに対応する情報を、携帯電話機２の表示部２６に表示する。
【００４４】
図７は、制御サーバ１１およびデータベース用サーバ１２の構成を示すブロック図である。
制御サーバ１１は、リダイレクト用制御領域２８とウェブ用制御領域２９とを備えている。リダイレクト用制御領域２８には、主制御部２７と、この主制御部２７に接続された通信部３１とが備えられている。主制御部２７は、通信部３１およびインターネット回線６を介して、携帯電話機２および店舗コンピュータ９と通信可能である。ウェブ用制御領域２９には、主制御部３２と、この主制御部３２に接続された通信部３６とが備えられている。主制御部３２は、通信部３６およびインターネット回線６を介して、携帯電話機２と通信可能である。
【００４５】
データベース用サーバ１２は、リダイレクト用記憶領域３３とウェブ用記憶領域３８とを備えている。リダイレクト用記憶領域３３には、リダイレクト用データベース３９が設けられている。リダイレクト用データベース３９には、基準となる回数情報（以下、「基準回数情報」という。図示しない）と、店番号とその店番号に対応する店舗情報のＵＲＬとの対応関係を表す店番号−ＵＲＬ対応テーブル（図示しない）と、リーダライタ番号とそのリーダライタ番号に対応付けられた遊技台情報の対象機種を表す機種ＩＤとの対応関係を表すリーダライタ番号−機種ＩＤ対応テーブル（図示しない）と、遊技店舗ごとの店舗情報が記憶された店舗情報データベースと、遊技台情報が含まれるサイト（以下、「遊技台情報サイト」という。）のトップページのＵＲＬ（図示しない）とが格納されている。店舗情報データベースの店舗情報は、店番号に対応付けて設けられている。
【００４６】
ウェブ用記憶領域３８には、複数種の遊技台情報の表示データを記憶する遊技台情報用データベース（情報記憶部）３４と、複数種の店舗情報の表示データを記憶する店舗情報用データベース３５と、遊技台情報の対象機種を表す機種ＩＤと、その機種の名称と、その機種に対応する遊技台情報のＵＲＬとの対応関係を表す機種ＩＤ−機種名−ＵＲＬ対応テーブル（図示しない）とが記憶されている。
【００４７】
制御サーバ１１とデータベース用サーバ１２とは、ハブなどの中継機器を介して互いに通信可能に設けられている。すなわち、リダイレクト用制御領域２８とリダイレクト用記憶領域３３とは通信可能に設けられており、ウェブ用制御領域２９とウェブ用記憶領域３８とは通信可能に設けられている。
リダイレクト用制御領域２８およびリダイレクト用記憶領域３３によってリダイレクト部４が構成されている。また、ウェブ用制御領域２９およびウェブ用記憶領域３８によってウェブ部５が構成されている。
【００４８】
図８は、遊技情報提供システムにおける信号授受の流れを示すシーケンス図である。図９Ａ〜図９Ｃは、携帯電話機２の表示部２６に表示される画面の具体例を示す図である。遊技客は、遊技店舗に入店すると、情報提供装置１の表示領域４６,４８を見て、遊技台情報の提供を受けたい遊技台の種類（機種）を決定する。そして、その遊技台情報に対応するリーダライタ３の読取り面１７Ａに自己の所有する携帯電話機２を接近させる（かざす）と（１．かざす）、携帯電話機２のＩＣチップ２１の制御部３７と、携帯電話機２の主制御部２２と、リーダライタ３の主制御部１８との間で三者間通信が行われる。この三者間通信では、リーダライタ３の主制御部１８が携帯電話機２のＩＣチップ２１のＩＤｍを取得するとともに、リーダライタ３のカウンタ（図示しない）の値がインクリメント（＋１）される。
【００４９】
そして、リーダライタ３は、リダイレクト部４への接続指示を、携帯電話機２のＩＣチップ２１に与える（２．接続指示）。また、リーダライタ３は、記憶部１９に記憶されたリダイレクト部４のＵＲＬ、店番号、リーダライタ番号、カウンタ（図示しない）に計数された回数情報、および携帯電話機２のＩＣチップ２１から取得したＩＤｍに基づいて、リダイレクトＵＲＬを作成する。また、このリダイレクトＵＲＬに対する接続指示を、携帯電話機２の主制御部２２に向けて送信する（２．接続指示）。このリダイレクトＵＲＬは、リダイレクト部４のＵＲＬの後に、コード情報を付加したものである。このコード情報は、店番号、リーダライタ番号、リーダライタＩＤ、ＩＤｍおよび回数情報などの情報を含むものである。リーダライタＩＤは、リーダライタに固有の番号である。
【００５０】
リーダライタ３からの接続指示を携帯電話機２の主制御部２２が受信すると、携帯電話機２の表示部２６が、それまでの待受画面（図９Ａ参照）から、接続許可表示（図９Ｂ参照）に切り換えられる。また、携帯電話機２の主制御部２２による接続指示の受信にともない、携帯電話機２のＩＣチップ２１、携帯電話機２の主制御部２２およびリーダライタ３の間の三者間通信が終了する。
【００５１】
そして、携帯電話機２の操作により、リダイレクト部４への接続が許可されると、携帯電話機２の主制御部２２は、リダイレクトＵＲＬへの接続を開始する。具体的には、携帯電話機２の主制御部２２は、リダイレクト部４に向けて接続要求を送信する（３．接続要求）。また、携帯電話機２の主制御部２２のブラウザ２４がブラウザを起動する。
携帯電話機２からの接続要求を受信したリダイレクト部４の主制御部２７は、リダイレクトＵＲＬから、コード情報に含まれるリーダライタ番号を読み出し、リダイレクト用データベース３９に格納されているリーダライタ番号−機種ＩＤ対応テーブル（図示しない）を参照し、そのリーダライタ３に対応付けられた遊技台情報の対象の機種ＩＤを取得する。また、リダイレクト部４の主制御部２７は、この取得した機種ＩＤを、ウェブ部５の主制御部３２に送信し、ウェブ部５の主制御部３２は、ウェブ用記憶領域３８に設けられた機種ＩＤ−機種名−ＵＲＬ対応テーブル（図示しない）を参照し、リダイレクト部４から受信した機種ＩＤに対応するＵＲＬを取得し、リダイレクト部４の主制御部２７に対して送信する。リダイレクト部４の主制御部２７は、そのＵＲＬに付加情報を付加して付加情報付ＵＲＬ３０を作成する。
【００５２】
図１０は、リダイレクト部４により作成される付加情報付ＵＲＬ３０を説明するための図である。付加情報付ＵＲＬ３０は、遊技台情報のＵＲＬに付加情報が付加されることにより作成される。付加情報は、有効期限、店番号、リーダライタ番号、ＩＤｍおよび回数情報を含んでいる。これらの付加情報は、たとえばａｅｓ暗号によって暗号化されている。
【００５３】
再び図８を参照して、リダイレクト部４は、携帯電話機２の主制御部２２に付加情報付ＵＲＬ３０への接続指示を送信する（４．接続指示）。接続指示を受けた携帯電話機２の主制御部２２は、付加情報付ＵＲＬ３０に接続を開始し、ウェブ部５に接続要求が送信される（５．接続要求）。
付加情報付ＵＲＬ３０の付加情報に含まれる有効期限内であるときは、ウェブ部５は、対応する遊技台情報のページデータを携帯電話機２に送信する（６．ページデータ）。そして、携帯電話機２の表示部２６に図９Ｃに示す遊技台情報画面が表示される。
【００５４】
図９Ｃに示す画面には、上方から順に、遊技店舗情報画面（図１１Ａ参照）に画面を切り換えるためのリングタグ６１と、遊技店舗から遊技客へのメッセージ情報が左右方向にスクロール表示されるメッセージ表示エリア６２と、遊技台情報が表示される遊技台情報表示エリア６３とが設けられている。
遊技台情報表示エリア６３に表示される遊技台情報は、遊技台１０の特徴、キャラクタ紹介、リーチ演出、予告演出およびスペック（大当たり確率、確率変動確率、賞玉数および平均出玉数など）を含んでいる。図９Ｃに示す遊技台情報には、各情報のメニュー表示が含まれ、メニュー表示が選択操作されると、遊技情報の詳細情報が表示される。
【００５５】
一方、付加情報付ＵＲＬ３０に含まれる有効期限を過ぎている場合、すなわち、携帯電話機２の所有者がその付加情報付ＵＲＬ３０を入手してから２４時間経過しており、このような接続は不正利用であると考えられる。かかる場合には、ウェブ部５は、携帯電話機２に店舗情報のページデータや遊技台情報サイトトップページのページデータを送信する（６．ページデータ）。そして、携帯電話機２の表示部２６に店舗情報（図１１Ａ参照）や遊技台情報サイトのトップページ（図１１Ｂ参照）が表示される。
【００５６】
図１１Ａに示す店舗情報は、遊技店舗の基本情報（遊技店舗の住所、電話番号、地図および遊技台の設置台数）などを含んでいる。また、図１１Ｂに示す遊技台情報サイトのトップページは、図９Ｃに示す遊技台情報画面よりも上位に位置している。この遊技台情報サイトのトップページでは、遊技台１０の機種を入力することにより、その機種検索を行うことができ、この機種検索動作を経て図９Ｃに示す遊技台情報に接続することが可能とされている。
【００５７】
この実施形態に係る遊技台情報提供システムにおける流れを、さらに具体的に説明する。図１２は、リダイレクト部４の主制御部２７における制御を示すフローチャートである。
リダイレクト部４の主制御部２７は、携帯電話機２の主制御部２２から接続要求があるか否かを常に監視している（ステップＳ１）。
【００５８】
携帯電話機２の主制御部２２から接続要求があった場合は（ステップＳ１でＹＥＳ）、リダイレクト部４の主制御部２７は、リダイレクトＵＲＬに含まれるコード情報を解読し、店番号、リーダライタ番号、リーダライタＩＤ、ＩＤｍおよび回数情報などを取り出す（ステップＳ２）。そして、リダイレクト部４の主制御部２７は、コード情報から取り出された今回の回数情報（以下、「今回回数情報」という。）が適正範囲内であるか否かを判断する（ステップＳ３）。
【００５９】
具体的には、リダイレクト部４の主制御部２７は、リダイレクトＵＲＬから取り出した回数情報を、リダイレクト用データベース３９に記憶されている基準回数情報（図示しない）と比較する。そして、今回回数情報がたとえば「１２３４」であり、基準回数情報が「１２２９」である場合など、今回回数情報が、基準回数情報のたとえば「−５」〜「＋５」の範囲内であれば、適正範囲内にあると判断する。
【００６０】
今回回数情報の値が、適正範囲内でありかつ基準回数情報の値よりも大きい場合は、リダイレクト部４の主制御部２７は、今回回数情報を読み出した後、リダイレクト用データベース３９に記憶されている基準回数情報（図示しない）の値を、今回回数情報の値に書き換える。すなわち、次回以降は、今回回数情報の値が基準回数情報になる。
今回回数情報の値が適正範囲であり、かつ、今回回数情報の値が基準回数情報の値以下である場合は、主制御部２７は基準回数情報を書き換えない。すなわち、リダイレクト用データベース３９に記憶された基準回数情報のまま、次回の回数情報の判定が行われる。
【００６１】
このように今回回数情報と基準回数情報との比較することにより、あるリーダライタ３に携帯電話機が複数回かざされる場合、前回かざされてから今回かざされるまでのおよその時間がわかる。今回回数情報が基準回数情報４４の「＋５」よりも大きい場合（すなわち、基準回数情報４４の「＋６」以上である場合）は、経験則上、携帯電話機２がリーダライタ３に前回かざされてから２時間程度経過していることが多い。遊技店舗内で実際に遊技客が、このような長時間の間隔を空けて同じリーダライタ３に接続するというのは考えにくいので、かかる場合は、遊技台情報への接続を許容しない。
【００６２】
今回回数情報が適正範囲内である場合は（ステップＳ３でＹＥＳ）、主制御部２７は、コード情報に含まれるリーダライタ番号を読み出すとともに、リダイレクト用データベース３９に格納されているリーダライタ番号−機種ＩＤ対応テーブル（図示しない）を参照し、そのリーダライタ番号に対応する遊技台情報の機種ＩＤを取得する（ステップＳ４）。また、リダイレクト部４の主制御部２７は、この取得した機種ＩＤを、ウェブ部５の主制御部３２に送信し、ウェブ部５からこの機種ＩＤに対応する遊技台情報のＵＲＬを取得する（ステップＳ５）。すなわち、携帯電話機２と非接触通信を行ったリーダライタ３に対応付けられた遊技台情報のＵＲＬが取得される。
【００６３】
また、リダイレクト部４の主制御部２７は、その時点における時刻、すなわちその主制御部２７に接続されているタイマ（図示しない）の値に基づいて、有効期限を作成する（ステップＳ６）。たとえばその時点よりも、丁度２４時間後の時間（秒単位）が有効期限とされる。
そして、主制御部２７は、有効期限、店番号、リーダライタ番号およびＩＤｍなどの付加情報を暗号化するとともに（ステップＳ７）、その暗号化した付加情報を抽出した遊技台情報のＵＲＬの後に付加する。これにより、図８に示す付加情報付ＵＲＬ３０が作成される（ステップＳ８）。そして、主制御部２７は、付加情報付ＵＲＬ３０への接続指示を、携帯電話機２の主制御部２２に向けて送信する（ステップＳ９）。なお、主制御部２７は、取得時間から有効期限までの間隔を、遊技店舗ごとに異ならせることもできる。
【００６４】
一方、携帯電話機２がリーダライタ３に前回接近されて（かざされて）から長時間が経過している場合は、今回回数情報が適正範囲外になる（ステップＳ３でＮＯ）。また、接続要求に含まれるＵＲＬに改変などがある場合も今回回数情報が基準回数情報（図示しない）と大きく異なる結果、今回回数情報が適正範囲外になる。かかる場合は、リダイレクト部４は、遊技台情報のＵＲＬではなく、店舗情報のＵＲＬを接続先として指定する。
【００６５】
以下、具体的に説明する。今回回数情報が適正範囲外である場合は（ステップＳ６でＮＯ）、次に、リダイレクト部４の主制御部２７は、リダイレクト用データベース３９に店舗情報のＵＲＬが記憶されているか否かを調べる（ステップＳ１０）。図６に示すように、リダイレクト部４のリダイレクト用データベース３９に店舗情報のＵＲＬが記憶されている場合は（ステップＳ１０でＹＥＳ）、主制御部２７は、コード情報に含まれる店番号を読み出すとともに、リダイレクト用データベース３９の店番号−ＵＲＬ対応テーブル（図示しない）を参照し（ステップＳ１１）、その店番号に対応する遊技店舗、すなわち情報提供装置１が設置されている遊技店舗の店舗情報のＵＲＬを抽出する（ステップＳ１２）。
【００６６】
一方、リダイレクト用データベース３９に店舗情報のＵＲＬが記憶されていない場合は、（ステップＳ１０でＮＯ）、主制御部２７は、リダイレクト用データベース３９に記憶されている遊技台情報サイトのトップページのＵＲＬを抽出する（ステップＳ１３）。
図１３は、ウェブ部５の主制御部３２における制御を示すフローチャートである。ウェブ部５の主制御部３２は、携帯電話機２から接続要求があるか否かを常に監視している（ステップＳ２１）。携帯電話機２からの接続要求を受信すると（ステップＳ２１でＹＥＳ）、遊技台情報のＵＲＬに付加情報が存在しているか否かを確認し（ステップＳ２１）、付加情報が存在している場合は（ステップＳ２２でＹＥＳ）、付加情報を復号する（ステップＳ２３）。そして、復号された付加情報から、有効期限、店番号、リーダライタ番号およびＩＤｍを取り出す（ステップＳ２４）。
【００６７】
そして、ウェブ部５は、時刻取得手段により現在（その時点）の時刻を取得し、取得した時刻が、付加情報に含まれていた有効期限より前、つまり有効期限内である場合（ステップＳ２５でＹＥＳ）、リダイレクト部４に店舗データを要求し、リダイレクト部４から店舗データを取得する（ステップＳ２６）。そして、主制御部３２は、図９Ｃに示す遊技台情報画面のページデータを作成する（ステップＳ２７）。このページデータは、通信部３６を介して携帯電話機２に送信される（ステップＳ２９）。
【００６８】
一方、遊技台情報のＵＲＬに付加情報が付加されていない場合や（ステップＳ２２でＮＯ）、有効期限を過ぎた接続である場合には（ステップＳ２５でＮＯ）、主制御部３２は、店舗情報のページデータや遊技台情報サイトのトップページのページデータを作成する（ステップＳ２８）。この遊技台情報サイトトップページのページデータは、通信部３６を介して携帯電話機２に送信される（ステップＳ２９）。
【００６９】
図１４は、図５に示す携帯電話機２の主制御部２２における制御を示すフローチャートである。
携帯電話機２の主制御部２２は、リダイレクトＵＲＬへの接続指示をリーダライタ３から受信すると（ステップＳ３１でＹＥＳ）、図９Ｂに示す接続許可表示を表示部２６に表示する（ステップＳ３２）。そして、携帯電話機２の所有者が「はい」を選択し、接続が許可されると（ステップＳ３３でＹＥＳ）、ブラウザ２４が起動するとともに（ステップＳ３４）、主制御部３２がリダイレクト部４に向けて接続要求を送信する（ステップＳ３５）。
【００７０】
一方、携帯電話機２の所有者（遊技客）が「いいえ」を選択すると（ステップＳ３３でＮＯ）、リダイレクトＵＲＬへの接続が中断されて、この処理は終了する。
リダイレクト部４からの接続指示を受信すると（ステップＳ３６でＹＥＳ）、携帯電話機２の主制御部３２は、ウェブ部５に向けて接続要求を送信する（ステップＳ３７）。そして、ウェブ部５からページデータを受信すると（ステップＳ３８でＹＥＳ）、主制御部３２のブラウザ２４は、表示部２６にページデータに基づいて情報を表示する（ステップＳ３９）。なお、リダイレクト部４からの接続指示がないときは（ステップＳ３６でＮＯ）、ステップＳ３７の処理がスキップされる。
【００７１】
これにより、ウェブ部５では、付加情報に含まれる有効期限内か否かが調べられ、有効期限外である場合は、遊技台情報のデータ以外のデータ（遊技台情報サイトのトップページのデータまたは店舗情報のデータ）が送信される。このため、有効期限を過ぎている場合は、携帯電話機２のブックマーク機能やＵＲＬ履歴機能などのブラウザ機能を用いても、遊技台情報に接続することができない。したがって、遊技店舗外からの不正利用を防止することができる。
【００７２】
以上により、この実施形態によれば、情報提供装置１の操作領域４２，４３には、複数のリーダライタ３の各読取り面１７Ａが配置されている。読取り面１７Ａごとに、互いに異なる機種の遊技台情報が提供される。そのため、携帯電話機２の所有者（遊技客）は、遊技台情報の提供を受けたい遊技台情報に対応するリーダライタ３の読取り面１７Ａに自己の所有する携帯電話機２を接近させることにより、携帯電話機２を通してその遊技台情報の提供を受けることができる。
【００７３】
また、リダイレクト部４において選択された接続先のＵＲＬに対応するデータが、ウェブ部５から携帯電話機２に対して送信される。そして、接続先のＵＲＬを変更すれば、携帯電話機２に向けて送信されるデータを変更することができる。つまり、携帯電話機２に送信すべきデータを変更するのに、ウェブ部５のデータを直接変更する必要がない。
以上、この発明の一実施形態について説明したが、この発明はさらに他の形態で実施することもできる。
【００７４】
前述の実施形態では、機種表示部４７として、ペーパー状の表示材４９をホルダ５０に着脱可能に取り付ける構成を例示した。機種表示部４７の構成は、係る態様に限られない。たとえば、機種表示部４７が液晶表示部で構成されていてもよい。
また、リダイレクト部４およびウェブ部５が、それぞれ２つのサーバ１１，１２に分離された構成に限られず、１つのサーバに設けられた構成であってもよい。さらに、リダイレクト部４およびウェブ部５が、それぞれリダイレクトサーバおよびウェブサーバとして異なるサーバに設けられた構成であってもよい。
【００７５】
また、有効期限を過ぎていた場合は、遊技台情報ではなく店舗情報や遊技情報サイトのトップページに接続する場合を例に挙げたが、有効期限中は接続料を無料とし、有効期限を過ぎていた場合に接続料を有料とすることもできる。
また、携帯電話機２をリーダライタ３にかざす回数（すなわち、回数情報）に応じて接続先を変えることができる。具体的には、携帯電話機２をリーダライタ３に最初にかざしたときは携帯電話機２に遊技台情報が提供され、２回目以降にかざしたときは、店舗情報や遊技台情報サイトのトップページが提供されるようにしてもよい。
【００７６】
また、携帯電話機２のＩＤｍを利用した会員システムが採用されている場合、ウェブ部５は、携帯電話機２の所有者が会員であるか否かを判別することができる。具体的には、ウェブ部５には、会員情報が会員の所有する携帯電話機２のＩＣチップ２１のＩＤｍと対応付けた状態で記憶されており、ウェブ部５は、携帯電話機２から送信されるＩＤｍに基づいて、携帯電話機２の所有者が会員であるか否かを判別することができる。この場合、図１３のステップＳ１３において、有効期限内における接続でない場合であっても、ＩＤｍに基づいて携帯電話機２の所有者が会員であると判別すれば、遊技台情報のページデータを作成する（ステップＳ２７）ようにすることもできる。
【００７７】
また、遊技台情報のＵＲＬと対応付けられるリーダライタ特定情報として、リーダライタ番号に代えて、リーダライタＩＤを用いることもできる。
また、ＩＤｍを用いた会員システムが採用されている場合、遊技台情報に加えて会員情報を、携帯電話機２に表示することもできる。具体的には、ポイントシステムが採用されている場合は、遊技台情報に加えてポイント情報を表示することができる。
【００７８】
また、リーダライタ３はアンテナ部２０が内蔵されたものでなく、外付けのアンテナまたはブースタ用アンテナをリーダライタ３のケーシング１７から露出した状態で設けることもできる。とくに同一機種の遊技台１０が複数台、互いに接近する範囲内に配置されている場合には、これら複数の遊技台１０に対応するリーダライタ３を１つ（または少数）設けておき、このリーダライタ３に携帯電話機２をかざしたときはこれら遊技台１０の機種に対応する遊技台情報に接続させることも可能である。この場合、外付けのアンテナをリーダライタ３のケーシング１７から複数分岐させることにより、各遊技台１０に対応付けてアンテナを設けることができる。その結果、コストダウンを図りつつ、各遊技台１０に対応してアンテナを配設することができる。１つのリーダライタ３から分岐させるアンテナの数を、２〜１０台とすることが好ましい。コストダウンの観点からはアンテナの数が多いことが望ましいのであるが、アンテナの数が１０台を超えると、アンテナへのアクセスの集中時にリーダライタ３における処理が困難となるおそれがあること、また、遊技台１０の台入れ替えを行う際に１０台程度が１単位とされることが多いので、前記の範囲が好ましい。アンテナのみを露出させることにより、いたずら防止および盗難防止につながる。
【００７９】
また、遊技店舗内のコンセントから電力を得る自己給電式のリーダライタ３を例に挙げたが、乾電池などのバッテリが内蔵されたバッテリ内蔵式のリーダライタ３であってもよい。
また、携帯通信端末としては、携帯電話機の他、ＰＤＡなどを例示することができる。
また、遊技台情報を提供する情報提供装置１および遊技台情報提供システムを例に挙げて説明したが、本発明は、小売店の店舗情報など、その他の情報を提供する情報提供装置および情報提供システムに採用することができる。
【００８０】
その他、特許請求の範囲に記載された事項の範囲で種々の設計変更を施すことが可能である。
【符号の説明】
【００８１】
１  情報提供装置
２  携帯電話機（携帯端末）
３  リーダライタ
４  リダイレクト部（リダイレクト装置）
５  ウェブ部（情報提供制御装置）
１７Ａ  読取り面
２１  ＩＣチップ部（非接触ＩＣ）
２６  表示部
２７  主制御部（位置情報選択手段、情報提供接続指示送信手段、付加情報付加手段）
３２  主制御部（データ送信手段、付加情報取出手段、有効期限判別手段）
３４  遊技台情報用データベース（情報記憶部）
４１  本体
４２  第１操作領域
４３  第２操作領域
４６  第１表示領域
４７  機種表示部（情報表示部）
４８  第２表示領域
５７  ラック
【図１】
2010029689.tif 000003
【図２】
2010029689.tif 000004
【図３Ａ】
2010029689.tif 000005
【図３Ｂ】
2010029689.tif 000006
【図４】
2010029689.tif 000007
【図５】
2010029689.tif 000008
【図６】
2010029689.tif 000009
【図７】
2010029689.tif 000010
【図８】
2010029689.tif 000011
【図９Ａ】
2010029689.tif 000012
【図９Ｂ】
2010029689.tif 000013
【図９Ｃ】
2010029689.tif 000014
【図１０】
2010029689.tif 000015
【図１１Ａ】
2010029689.tif 000016
【図１１Ｂ】
2010029689.tif 000017
【図１２】
2010029689.tif 000018
【図１３】
2010029689.tif 000019
【図１４】
2010029689.tif 000020